(57)【要約】【課題】利用者からのアクセス制限要求を受け付け、そのアクセス制限要求に基づいて映像に画像処理を施すようにしたネットワークカメラシステムにおいて、できるだけ多くのアクセス制限要求を受け付けられるようにする。【解決手段】ネットワークカメラ１１０により撮影した映像をネットワークを介してビューワ１２０、１３０、１４０に送信するネットワークカメラシステムであって、制限対象範囲を含むアクセス制限要求を管理するアクセス制限管理部１１５と、アクセス制限管理部１１５が管理するアクセス制限要求に基づいて、ビューワに送信する映像に画像処理を施すアクセス制限処理部１１４とを備え、アクセス制限管理部１１５は、管理するアクセス制限要求のうち統合可能なアクセス制限要求を検出し、これら統合可能なアクセス制限要求をまとめる機能を有する。【選択図】図１
2008270976.tif 000002
【特許請求の範囲】
【請求項１】
撮像装置により撮影した映像をネットワークを介してクライアントに送信するネットワークカメラシステムであって、
制限対象範囲を含むアクセス制限要求を管理するアクセス制限管理手段と、
前記アクセス制限管理手段が管理するアクセス制限要求に基づいて、前記クライアントに送信する映像に画像処理を施すアクセス制限処理手段とを備え、
前記アクセス制限管理手段は、前記管理するアクセス制限要求のうち統合可能なアクセス制限要求を検出し、これら統合可能なアクセス制限要求をまとめる機能を有することを特徴とするネットワークカメラシステム。
【請求項２】
前記クライアントは、前記撮像装置にアクセス制限要求を送信する送信手段を備えることを特徴とする請求項１に記載のネットワークカメラシステム。
【請求項３】
前記アクセス制限要求は、前記アクセス制限処理手段による画像処理の強度を含むことを特徴とする請求項１又は２に記載のネットワークカメラシステム。
【請求項４】
前記アクセス制限処理手段による画像処理は、前記制限対象範囲の画像の解像度を低下させる処理を含むことを特徴とする請求項１〜３のいずれか１項に記載のネットワークカメラシステム。
【請求項５】
前記アクセス制限処理手段による画像処理は、前記制限対象範囲の画像のマスキング処理を含むことを特徴とする請求項１〜４のいずれか１項に記載のネットワークカメラシステム。
【請求項６】
前記アクセス制限管理手段は、前記管理するアクセス制限要求の総数が予め定められた数を超えた場合に、統合可能なアクセス制限要求をまとめることを特徴とする請求項１〜５のいずれか１項に記載のネットワークカメラシステム。
【請求項７】
前記アクセス制限管理手段は、アクセス制限要求Ａ及びアクセス制限要求Ｂについて、前記アクセス制限要求Ａの制限対象範囲が前記アクセス制限要求Ｂの制限対象範囲を完全に含む場合、前記アクセス制限要求Ｂを削除することを特徴とする請求項１〜６のいずれか１項に記載のネットワークカメラシステム。
【請求項８】
前記アクセス制限管理手段は、アクセス制限要求Ａ及びアクセス制限要求Ｂについて、前記アクセス制限要求Ａの制限対象範囲と前記アクセス制限要求Ｂの制限対象範囲とが隣接或いは一部重複する場合、前記アクセス制限要求Ａ及び前記アクセス制限要求Ｂを削除するとともに、アクセス制限要求Ｃを新たに設け、前記アクセス制限要求Ｃの制限対象範囲として、前記アクセス制限要求Ａの制限対象範囲及び前記アクセス制限要求Ｂの制限対象範囲の和を用いることを特徴とする請求項１〜６のいずれか１項に記載のネットワークカメラシステム。
【請求項９】
前記アクセス制限管理手段は、アクセス制限要求Ａ及びアクセス制限要求Ｂについて、前記アクセス制限要求Ａの制限対象範囲と前記アクセス制限要求Ｂの制限対象範囲とが近接する場合、前記アクセス制限要求Ａ及び前記アクセス制限要求Ｂを削除するとともに、アクセス制限要求Ｃを新たに設け、前記アクセス制限要求Ｃの制限対象範囲として、前記アクセス制限要求Ａの制限対象範囲及び前記アクセス制限要求Ｂの制限対象範囲を含む領域を用いることを特徴とする請求項１〜６のいずれか１項に記載のネットワークカメラシステム。
【請求項１０】
前記アクセス制限管理手段は、アクセス制限要求Ａ及びアクセス制限要求Ｂを統合し、アクセス制限要求Ｃを新たに設ける際に、前記アクセス制限要求Ｃにおける画像処理の強度として、前記アクセス制限要求Ａにおける画像処理の強度及び前記アクセス制限要求Ｂにおける画像処理の強度のうち強いものを用いることを特徴とする請求項１〜９のいずれか１項に記載のネットワークカメラシステム。
【請求項１１】
撮影した映像をネットワークを介してクライアントに送信する撮像装置であって、
制限対象範囲を含むアクセス制限要求を管理するアクセス制限管理手段と、
前記アクセス制限管理手段が管理するアクセス制限要求に基づいて、前記クライアントに送信する映像に画像処理を施すアクセス制限処理手段とを備え、
前記アクセス制限管理手段は、前記管理するアクセス制限要求のうち統合可能なアクセス制限要求を検出し、これら統合可能なアクセス制限要求をまとめる機能を有することを特徴とする撮像装置。
【請求項１２】
撮影した映像をネットワークを介してクライアントに送信する撮像装置であり、制限対象範囲を含むアクセス制限要求を管理するアクセス制限管理手段と、前記アクセス制限管理手段が管理するアクセス制限要求に基づいて、前記クライアントに送信する映像に画像処理を施すアクセス制限処理手段とを備えた撮像装置を制御する撮像装置の制御方法であって、
前記アクセス制限管理手段が管理するアクセス制限要求のうち統合可能なアクセス制限要求を検出し、これら統合可能なアクセス制限要求をまとめる手順を行うことを特徴とする撮像装置の制御方法。
【請求項１３】
撮影した映像をネットワークを介してクライアントに送信する撮像装置を制御するためのプログラムであって、
制限対象範囲を含むアクセス制限要求を管理するアクセス制限管理手段と、
前記アクセス制限管理手段が管理するアクセス制限要求に基づいて、前記クライアントに送信する映像に画像処理を施すアクセス制限処理手段と、
前記アクセス制限管理手段が管理するアクセス制限要求のうち統合可能なアクセス制限要求を検出し、これら統合可能なアクセス制限要求をまとめる手段としてコンピュータを機能させるためのプログラム。
【発明の詳細な説明】
【技術分野】
【０００１】
本発明は、撮像装置により撮影した映像をネットワークを介してクライアントに送信するネットワークカメラシステム、撮像装置及びその制御方法、並びにプログラムに関する。
【背景技術】
【０００２】
インターネットの普及に伴い、遠隔地の映像をインターネットを経由して見ることが可能なネットワークカメラの利用が普及し始めており、遠隔地の映像を複数の利用者が同時に見ることが可能となっている。
【０００３】
ネットワークカメラはパン（横方向）回転、チルト（縦方向）回転、ズーム（望遠）といった機能を有し、遠隔操作で撮影条件や撮影姿勢を制御することが可能であり、利用者の制御要求を反映して所望の映像を得られるように制御される。
【０００４】
このようなネットワークカメラを設置した場合、パン、チルト、ズームを制御することで映されたくない領域も撮影できてしまうことがあり、プライバシーや機密情報の保護といった観点から問題がある。
【０００５】
この種のネットワークカメラに関し、特許文献１には、映したくない領域を予め設定しておき、カメラ画像に映る当該領域に関して部分的にマスキング処理を施すことで、アクセス制限を行うようにすることが開示されている。
【０００６】
また、特許文献２では、クライアント（カメラ利用者）をグループ別に分類しておき、当該クライアントの属するグループ毎に、アクセス可能な範囲の制限を行うようにすることが開示されている。
【０００７】
【特許文献１】特許第３７２２６５３号公報
【特許文献２】特許第３６３４５２８号公報
【発明の開示】
【発明が解決しようとする課題】
【０００８】
上記のようなカメラの撮影対象領域に対するアクセス権の設定をユーザ側から可能にすることも考えられる。例えば制限対象範囲を含むアクセス制限要求をユーザ側から行って、その制限対象範囲に画像処理を行うように設定するような場合であり、アクセス制限要求の迅速な反映及び管理者の負担減といった効果が期待できる。
【０００９】
しかしながら、アクセス権の設定権限をユーザに与えることで、大量のアクセス制限要求が発生し、サーバ側の処理能力を超えることが懸念される。
【００１０】
本発明は上記のような点に鑑みてなされたものであり、アクセス制限要求を受け付け、そのアクセス制限要求に基づいて映像に画像処理を施すネットワークカメラシステムにおいて、できるだけ多くのアクセス制限要求を受け付けられるようにすることを目的とする。
【課題を解決するための手段】
【００１１】
本発明のネットワークカメラシステムは、撮像装置により撮影した映像をネットワークを介してクライアントに送信するネットワークカメラシステムであって、制限対象範囲を含むアクセス制限要求を管理するアクセス制限管理手段と、前記アクセス制限管理手段が管理するアクセス制限要求に基づいて、前記クライアントに送信する映像に画像処理を施すアクセス制限処理手段とを備え、前記アクセス制限管理手段は、前記管理するアクセス制限要求のうち統合可能なアクセス制限要求を検出し、これら統合可能なアクセス制限要求をまとめる機能を有することを特徴とする。
本発明の撮像装置は、撮影した映像をネットワークを介してクライアントに送信する撮像装置であって、制限対象範囲を含むアクセス制限要求を管理するアクセス制限管理手段と、前記アクセス制限管理手段が管理するアクセス制限要求に基づいて、前記クライアントに送信する映像に画像処理を施すアクセス制限処理手段とを備え、前記アクセス制限管理手段は、前記管理するアクセス制限要求のうち統合可能なアクセス制限要求を検出し、これら統合可能なアクセス制限要求をまとめる機能を有することを特徴とする。
本発明の撮像装置の制御方法は、撮影した映像をネットワークを介してクライアントに送信する撮像装置であり、制限対象範囲を含むアクセス制限要求を管理するアクセス制限管理手段と、前記アクセス制限管理手段が管理するアクセス制限要求に基づいて、前記クライアントに送信する映像に画像処理を施すアクセス制限処理手段とを備えた撮像装置を制御する撮像装置の制御方法であって、前記アクセス制限管理手段が管理するアクセス制限要求のうち統合可能なアクセス制限要求を検出し、これら統合可能なアクセス制限要求をまとめる手順を行うことを特徴とする。
本発明のプログラムは、撮影した映像をネットワークを介してクライアントに送信する撮像装置を制御するためのプログラムであって、制限対象範囲を含むアクセス制限要求を管理するアクセス制限管理手段と、前記アクセス制限管理手段が管理するアクセス制限要求に基づいて、前記クライアントに送信する映像に画像処理を施すアクセス制限処理手段と、前記アクセス制限管理手段が管理するアクセス制限要求のうち統合可能なアクセス制限要求を検出し、これら統合可能なアクセス制限要求をまとめる手段としてコンピュータを機能させることを特徴とする。
【発明の効果】
【００１２】
本発明によれば、統合可能なアクセス制限要求をまとめることで、その分、新たなアクセス制限要求を受け付けることができるようになる。
【発明を実施するための最良の形態】
【００１３】
以下、添付図面を参照して、本発明の好適な実施形態について説明する。
（第１の実施形態）
図１は、本実施形態に係るネットワークカメラシステムの構成を示す図である。ネットワークカメラ１１０は、撮像部１１１、制御部１１２、通信部１１３、アクセス制限処理部１１４、アクセス制限管理部１１５により構成される。このネットワークカメラ１１０が本発明でいう撮像装置として機能するものである。なお、ネットワークカメラ１１０は、一つの機器から構成されてもよいし、複数の機器から構成されてもよい。
【００１４】
アクセス制限管理部１１５は、制限対象範囲を含むアクセス制限要求を管理するものであり、本発明でいうアクセス制限管理手段として機能する。また、アクセス制限処理部１１４は、アクセス制限管理部１１５が管理するアクセス制限要求に基づいて、ビューワ１２０、１３０、１４０に送信する映像データに画像処理を施すものであり、本発明でいうアクセス制限処理手段として機能する。
【００１５】
制御部１１２による制御下で撮像部１１１により撮影された映像データは、アクセス制限管理部１１５に記憶されたアクセス制限要求に基づいて、アクセス制限処理部１１４により画像処理が施される。アクセス制限処理部１１４により画像処理が施された映像データは、通信部１１３を介してネットワーク上のビューワ１２０、１３０、１４０に配信される。
【００１６】
ビューワ１２０は、通信部１２１、表示部１２２、制御部１２３、入力部１２４により構成される。なお、図１ではビューワ１２０の構成のみ図示したが、ビューワ１３０、１４０についても同様の構成となっている。これらビューワ１２０、１３０、１４０が本発明でいうクライアントとして機能するものである。
【００１７】
ビューワ１２０（１３０、１４０）は、ネットワークカメラ１１０から送信された映像データを通信部１２１で受信し、表示装置１２２に表示する。また、入力部１２４に入力された制限対象範囲を含むアクセス制限要求を、通信部１２１を介してネットワークカメラ１１０に送信する。
【００１８】
ネットワークカメラ１１０の通信部１１３は、複数のビューワ１２０、１３０、１４０に対して撮影している映像をリアルタイムに配信することが可能である。また、ネットワークカメラ１１０の通信部１１３は、複数のビューワ１２０、１３０、１４０からアクセス制限要求を同時に受け付けることが可能である。
【００１９】
図２は、第１の実施形態に係るネットワークカメラシステムでの処理を示すフローチャートである。ネットワークカメラ１１０の制御部１１２は、撮像部１１１により撮影された映像データ（撮像データ）を読み込む（ステップＳ２０１）。
【００２０】
次に、アクセス制限管理部１１５は、内部にアクセス制限要求項目が記憶されているかどうかを判別する（ステップＳ２０２）。アクセス制限要求項目が存在していなければ、制御部１１２は、撮像データをそのまま通信部１１３よりビューワに送信する（ステップＳ２０８）。アクセス制限要求項目が存在するならば、アクセス制限要求を統合するかどうかを判別する（ステップＳ２０３）。例えば管理するアクセス制限要求の総数が予め定められた数を超えた場合に、アクセス制限要求を統合するものとして、ステップＳ２０４に進む。
【００２１】
アクセス制限管理部１１５は、内部に記憶されているアクセス制限要求の中から統合可能なアクセス制限要求を探索（検出）する（ステップＳ２０４）。統合可能なアクセス制限要求が存在すれば、アクセス制限管理部１１５は、内部に記憶されている統合可能なアクセス制限要求の組を読み出し（ステップＳ２０５）、それら読み出したアクセス制限要求の組を一つにまとめる統合処理を行う（ステップＳ２０６）。これらステップＳ２０５、Ｓ２０６の処理を統合可能なアクセス制限要求が存在しなくなるまで行った後、アクセス制限処理部１１４は、撮像データ中の各アクセス制限領域（制限対象範囲）に画像処理を施す（ステップＳ２０７）。そして、制御部１１２は、画像処理が施された撮像データを通信部１１３よりビューワに送信する（ステップＳ２０８）。
【００２２】
ここで、図３〜図５のフローチャート及び図６を参照して、ステップＳ２０６におけるアクセス制限要求の統合処理の詳細を説明する。ステップＳ２０６では、完全に重複するアクセス制限要求の統合（削除）処理（図６（ａ）を参照）や、隣接或いは一部重複する（重なり合う）アクセス制限要求の統合処理（図６（ｂ）を参照）、近接するアクセス制限要求の統合処理（図６（ｃ）を参照）が行われる。
【００２３】
図６（ａ）、図６（ｂ）、図６（ｃ）は、ネットワークカメラ１１０の撮影範囲及び各アクセス制限要求の制限対象範囲を平面上に模式的に表したものである。６０１、６０３、６０５は統合処理前の撮影範囲であり、６１１、６３１、６５１はアクセス制限要求Ａの制限対象範囲を表わし、６１２、６３２、６５２はアクセス制限要求Ｂの制限対象範囲を表わす。また、６０２、６０４、６０６は統合処理後の撮影範囲であり、６２１、６４３、６６３は統合処理後のアクセス制限要求の制限対象範囲を表わす。
【００２４】
以下、図３を参照して、図６（ａ）の完全に重複するアクセス制限要求の統合（削除）処理を説明する。アクセス制限管理部１１５は、内部に記憶されているアクセス制限要求の中から１つをアクセス制限要求Ａ（６１１）として選択する（ステップＳ３０１）。
【００２５】
次に、アクセス制限管理部１１５は、他のアクセス制限要求のうち、アクセス制限要求Ａの制限対象範囲に完全に含まれる制限対象範囲を有するものを探索する（ステップＳ３０２）。その結果、該当するものがあれば、アクセス制限要求Ｂ（６１２）として選択する（ステップＳ３０３）。なお、該当するものが無ければ、本処理を終了する。
【００２６】
次に、アクセス制限管理部１１５は、選択したアクセス制限要求Ｂ（６１２）を削除する（ステップＳ３０４）。上記処理を行った後の撮影範囲は６０２のようになり、アクセス制限要求Ａ（６２１）のみが残されることになる。
【００２７】
以上のように、他のアクセス制限要求の制限対象範囲に完全に重複する（含まれる）制限対象範囲を有するアクセス制限要求Ｂを削除することで、その分、アクセス制限管理部１１５は新たなアクセス制限要求を受け付けることが可能となる。
【００２８】
以下、図４を参照して、図６（ｂ）の隣接或いは一部重複するアクセス制限要求の統合処理を説明する。アクセス制限管理部１１５は、内部に記憶されているアクセス制限要求の中から１つをアクセス制限要求Ａ（６３１）として選択する（ステップＳ４０１）。
【００２９】
次に、アクセス制限管理部１１５は、他のアクセス制限要求のうち、アクセス制限要求Ａの制限対象範囲に隣接或いは一部重複する制限対象範囲を有するものを探索する（ステップＳ４０２）。その結果、該当するものがあれば、アクセス制限要求Ｂ（６３２）として選択する（ステップＳ４０３）。なお、該当するものが無ければ、本処理終了する。
【００３０】
次に、アクセス制限管理部１１５は、新たにアクセス制限要求Ｃ（６４３）を追加する（ステップＳ４０４）。この場合に、アクセス制限要求Ｃ（６４３）の制限対象範囲として、アクセス制限要求Ａ（６５１）の制限対象範囲及びアクセス制限要求（６５２）の制限対象範囲の和を用いる（ステップＳ４０５）。
【００３１】
次に、アクセス制限管理部１１５は、アクセス制限要求Ａ（６３１）及びアクセス制限要求（６３２）を削除する（ステップＳ４０６）。上記処理を行った後の撮影範囲は６０４のようになり、アクセス制限要求Ｃ（６４３）のみが残されることになる。
【００３２】
以上のように、アクセス制限要求Ａ及びアクセス制限要求Ｂを１つにまとめることで、アクセス制限管理部１１５は差し引き一つ分、新たなアクセス制限要求を受け付けることが可能となる。
【００３３】
以下、図５を参照して、図６（ｃ）の近接するアクセス制限要求の統合処理を説明する。アクセス制限管理部１１５は、内部に記憶されているアクセス制限要求の中から１つをアクセス制限要求Ａ（６５１）として選択する（ステップＳ５０１）。
【００３４】
次に、アクセス制限管理部１１５は、他のアクセス制限要求のうち、アクセス制限要求Ａの制限対象範囲の近傍に存在する制限対象範囲を有するものを探索する（ステップＳ５０２）。その結果、該当するものがあれば、アクセス制限要求Ｂ（６５２）として選択する（ステップＳ５０３）。なお、該当するものが無ければ、本終了する。
【００３５】
次に、アクセス制限管理部１１５は、新たにアクセス制限要求Ｃ（６６３）を追加する（ステップＳ５０４）。この場合に、アクセス制限要求Ｃ（６６３）の制限対象範囲として、アクセス制限要求Ａ（６５１）の制限対象範囲及びアクセス制限要求Ｂ（６５２）の制限対象範囲を含む領域を用いる（ステップＳ５０５）。
【００３６】
次に、アクセス制限管理部１１５は、アクセス制限要求Ａ（６５１）及びアクセス制限要求（６５２）を削除する。上記処理を行った後の撮影範囲は６０６のようになり、アクセス制限要求Ｃ（６６３）のみが残される。
【００３７】
以上のように、アクセス制限要求Ａ及びアクセス制限要求Ｂを１つにまとめることで、アクセス制限管理部１１５は差し引き一つ分、新たなアクセス制限要求を受け付けることが可能となる。
【００３８】
以上述べたように、完全に重複するアクセス制限要求を統合（削除）したり、隣接或いは一部重複するアクセス制限要求や近接するアクセス制限要求を統合したりすることにより、より多くのアクセス制限要求を受け入れることが可能になる。
【００３９】
（第２の実施形態）
以下、第２の実施形態として、上述した第１の実施形態を応用し、アクセス制限処理（アクセス制限処理部１１４による画像処理）の強弱を用いたアクセス制限要求の統合処理について説明を行う。なお、本実施形態に係るネットワークカメラシステムの構成は図１に示したものと同様であり、ここではその説明を省略する。
【００４０】
図９の制限対象範囲９０１に対してアクセス制限を行う場合の画像処理方式について説明する。本実施形態では、制限対象範囲９０１の画像にマスキング処理を行い、まったく見えなくしてしまう制限（図９の９１１を参照）、制限対象範囲９０１の画像の解像度を低下させ、鮮明に見えなくしてしまう制限（図９の９２１を参照）の２つを用いることとする。ここで、制限対象範囲９０１を完全に見えなくするマスキング処理９１１の方が「強い」制限であるとする。
【００４１】
ここで、図７のフローチャート及び図８を参照して、ステップＳ２０６におけるアクセス制限要求の統合処理の詳細を説明する。まず処理前の画像８０１に対してかけられているアクセス制限要求Ａ（８１１）及び隣接するアクセス制限要求Ｂ（８１２）を選択し（ステップＳ７０１）、２つのアクセス制限要求を統合するアクセス制限要求Ｃ（８２３）を追加する（ステップＳ７０２）。
【００４２】
次に、アクセス制限要求Ａ（８１１）及びアクセス制限要求（８１２）における制限の強さを調べる（ステップＳ７０３）。いま、図８に示すように、アクセス制限要求Ａが図９の９２１のような解像度を低下させる処理、アクセス制限要求Ｂが図９の９１１のようなマスキング処理だとする。この場合、アクセス制限要求Ｂの制限の強さが大きいので、アクセス制限要求Ｃの制限の強さとしてアクセス制限要求Ｂの制限の強さを設定する（ステップＳ７０５）。アクセス制限要求Ａの制限の強さが大きい場合には、アクセス制限要求Ｃの制限の強さとしてアクセス制限要求Ａの制限の強さを設定する（ステップＳ７０４）。
【００４３】
次に、アクセス制限要求Ａ（８１１）及びアクセス制限要求（８１２）を削除して（ステップＳ７０６）、処理は完了する。
【００４４】
以上のように、アクセス制限要求を統合する際に制限の強い処理を優先して用いることで、プライバシー保護を優先することが可能となる。
【００４５】
なお、アクセス制限処理及びアクセス制限の強弱づけはマスキング処理及び低解像度化処理の２つに限定されない。例えばぼかし処理を用いたり、解像度の違いで制限の強さを表わしたりすることも考えられる。
【００４６】
（第３の実施形態）
以下、第３の実施形態として、上述した第１及び第２の実施形態を応用したアクセス制限処理について説明する。なお、本実施形態に係るネットワークカメラシステムの構成は図１に示したものと同様であり、また、各処理動作のフローチャートは既述したものと同様であり、ここではその説明を省略する。
【００４７】
図１０は、ネットワークカメラ１１０の撮影範囲及び各アクセス制限要求の範囲を平面上に模式的に表したものである。１００１は統合処理前の撮影範囲であり、アクセス制限要求０（１０１０）、アクセス制限要求１（１０１１）、アクセス制限要求２（１０１２）、アクセス制限要求３（１０１３）の４つの制限要求項目が存在する。
【００４８】
１００２は第１の統合処理後の撮影範囲であり、アクセス制限要求１（１０２１）、アクセス制限要求２（１０２２）、アクセス制限要求３（１０２３）の３つの制限要求項目が存在する。
【００４９】
１００３は第２の統合処理後の撮影範囲であり、アクセス制限要求３（１０３３）、アクセス制限要求４（１０３４）の２つの制限要求項目が存在する。
【００５０】
１００４は第３の統合処理後の撮影範囲であり、制限要求項目はアクセス制限要求５（１０４５）のみが存在する。
【００５１】
図１１は、アクセス制限管理部１１５が記憶する各アクセス制限要求項目の状態を表記したものである。アクセス制限要求の範囲は始点（矩形の左上の点）及び終点（矩形の右下の点）で表されている。状態１１０１は統合処理前の撮影範囲１００１に対応する。状態１１０２は第１の統合処理後の撮影範囲１００２に対応する。状態１１０３は第２の統合処理後の撮影範囲１００３に対応する。状態１１０４は第３の統合処理後の撮影範囲１００４に対応する。
【００５２】
第１の統合処理では、アクセス制限要求１の内部に含まれるアクセス制限要求０の削除処理が行われる。第２の統合処理では、隣接（一部重複）するアクセス制限要求１とアクセス制限要求２を統合し、アクセス制限要求４が作成される。アクセス制限要求４の制限の強さは、より強いアクセス制限要求２の値（強度３）用いられる。第３の統合処理では、近接するアクセス制限要求３とアクセス制限要求４を統合し、アクセス制限要求５が作成される。アクセス制限要求５の制限の強さは、より強いアクセス制限要求４の値（強度３）が用いられる。
【００５３】
以上のようにして、４項目あったアクセス制限要求を統合し、１項目に減らすことができる。また、図１１のようにアクセス制限要求の範囲を始点（矩形の左上の点）及び終点（矩形の右下の点）で表わすことで、各アクセス制限要求の範囲の位置関係の演算処理が容易になる。
【００５４】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５５】
この場合、記憶媒体から読み出されたプログラムコード自体が上述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５８】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００５９】
【図１】第１の実施形態に係るネットワークカメラシステムの構成を示す図である。
【図２】第１の実施形態に係るネットワークカメラシステムでの処理を示すフローチャートである。
【図３】完全に重複するアクセス制限要求の統合（削除）処理を説明するためのフローチャートである。
【図４】隣接或いは一部重複するアクセス制限要求の統合処理を説明するためのフローチャートである。
【図５】近接するアクセス制限要求の統合処理を説明するためのフローチャートである。
【図６】第１の実施形態におけるアクセス制限要求の統合処理の概要を示す図である。
【図７】第２の実施形態におけるアクセス制限要求の統合処理を説明するためのフローチャートである。
【図８】第２の実施形態におけるアクセス制限要求の統合処理の概要を示す図である。
【図９】アクセス制限処理の概要を示す図である。
【図１０】第３の実施形態におけるアクセス制限要求の統合処理の概要を示す図である。
【図１１】第３の実施形態におけるアクセス制限管理部が記憶する各アクセス制限要求項目の状態を表記したものを表わす図である。
【符号の説明】
【００６０】
１１０  ネットワークカメラ
１１１  撮像部
１１２  制御部
１１３  通信部
１１４  アクセス制限処理部
１１５  アクセス制限管理部
１２０  ビューワ
１２１  通信部
１２２  表示部
１２３  制御部
１２４  入力部
１３０  ビューワ
１４０  ビューワ
【図１】
2008270976.tif 000003
【図２】
2008270976.tif 000004
【図３】
2008270976.tif 000005
【図４】
2008270976.tif 000006
【図５】
2008270976.tif 000007
【図６】
2008270976.tif 000008
【図７】
2008270976.tif 000009
【図８】
2008270976.tif 000010
【図９】
2008270976.tif 000011
【図１０】
2008270976.tif 000012
【図１１】
2008270976.tif 000013